(57)【要約】【課題】巻取り式スクリーン装置の巻取りボックスの前面カバーを、メンテナンス等の間開放状態に維持可能とし、しかも、それを簡易な構成のものとして提供する。【解決手段】縦引きの巻取り式スクリーン装置２０における巻取りボックス１を、ボックス本体３と、該ボックス本体の上面壁４の前端部における軸支により開放可能な前面カバー６と、ボックス本体の両側端のエンドプレート７とを備えたものとする。前面カバーは、基端側端部６ａから先端側に一定長だけ延びる支持溝８を備え、一対のエンドプレートの上面壁前端部側に、上記支持溝に遊嵌して、前面カバーが該支持溝の長手方向に移動するのを許容する支軸１１を設ける。エンドプレートにおける支軸の設置位置よりも内側には、開放した前面カバーを内側に移動させたときに、該前面カバーの外側面に当接して該前面カバーを開放状態に保持する当接部片１２を突設する。【選択図】図２
2015214856.tif 000002
【特許請求の範囲】
【請求項１】
縦引きの巻取り式スクリーン装置において用いられ、内部にスクリーンの巻取軸を収容するための巻取りボックスであって、
少なくとも上面壁及び背面壁を有するボックス本体と、上記ボックス本体の両側端に取り付けられるエンドプレートと、上記ボックス本体の上面壁前端部において基端をエンドプレートに軸支することにより垂下される開放可能な前面カバーとを備え、
上記前面カバーの軸支は、該軸支部分におけるエンドプレートと前面カバーとのいずれか一方に支軸を設けると共に、その他方に、該支軸が遊嵌されて、前面カバーの支持点を上記基端側から該前面カバーの先端側に一定長だけ移動可能にする支持溝を備えることによって行い、
上記一対のエンドプレートに、開放した前面カバーを巻取りボックスの内側に上記一定長だけ移動させたときに、該前面カバーにおける上記支軸による支持点から離れた位置に当接して該前面カバーを開放状態に保持する当接部片を設けた、
ことを特徴とする巻取り式スクリーン装置における巻取りボックス。
【請求項２】
上記前面カバーの軸支を、該前面カバーが軸支される基端側端部から前面カバーに沿って先端側に一定長だけ延びる支持溝を備えると共に、上記一対のエンドプレートにおける上面壁前端部側に、上記支持溝に遊嵌して、前面カバーがその開放時に該支持溝の長手方向に移動するのを許容する支軸を設け、上記一対のエンドプレートにおける支軸よりも背面壁側の部位に上記当接部片を設けた、
ことを特徴とする請求項１に記載の巻取り式スクリーン装置における巻取りボックス。
【請求項３】
上記前面カバーの先端側に、該前面カバーの閉鎖時にエンドプレートにおける係止受部に係止する係止縁部を設け、上記エンドプレートに、上記前面カバーの係止縁部をエンドプレートの係止受部に係止させて該前面カバーでボックス本体の前面を閉鎖したときに、前面カバーの内面に突設している突条に当接して前面カバーの上動を抑止する受突子を備えている、
ことを特徴とする請求項１または２に記載の巻取り式スクリーン装置における巻取りボックス。
【請求項４】
上記前面カバーの突条により、前面カバーにおける支持溝が先端側に延びる一定長の限度を形成させ、上記一対のエンドプレートの支軸を、開放した前面カバーを巻取りボックスの内側に上記一定長だけ移動させたときに上記突条が当接するストッパとした、
ことを特徴とする請求項２に従属する請求項３に記載の巻取り式スクリーン装置における巻取りボックス。
【請求項５】
上記ボックス本体と上記前面カバーとを、それぞれ長手方向に断面形状が一定の押出材により形成し、上記エンドプレートを、上記当接部片、上記係止受部及び上記受突子が一体成形された成形材により形成している、
ことを特徴とする請求項２に従属する請求項３または４に記載の巻取り式スクリーン装置における巻取りボックス。
【発明の詳細な説明】
【技術分野】
【０００１】
本発明は、縦引きの巻取り式スクリーン装置においてスクリーンを巻き取る巻取軸を支持するための巻取りボックスに関するものであり、更に具体的には、巻取りボックス内の各種メンテナンスや、該巻取りボックス内において巻取軸に巻き取るスクリーンの洗浄や交換等のための着脱を容易にするための、開閉自在の前面カバーを備えた巻取りボックスに関するものである。
【背景技術】
【０００２】
従来から、縦引きの巻取り式スクリーン装置における巻取りボックスの前面を開放可能にしたものは既に知られているが、それらは、単に巻取りボックスをその内部構造の組立やスクリーンの着脱等のために開閉可能にしたものであり、例えば、巻取りボックスの前面カバーをネジ等で固定しておくのが一般的である。
しかしながら、巻取りボックスの内部構造が複雑化し、或いはそのメンテナンスに時間を要するような場合には、上記前面カバーに、それが閉状態から、ごく一時的な開閉も容易であると同時に、スクリーンの交換等のために、一定の作業時間の間安定的に開放状態に保持しておけることが望まれ、しかも、その構成を簡易なものとして提供することが望まれる。
【発明の概要】
【発明が解決しようとする課題】
【０００３】
本発明の技術的課題は、上記巻取り式スクリーン装置における巻取りボックスの前面カバーを、それが閉状態から手で操作する一時的な開閉だけでなく、メンテナンス等の任意作業の間開放状態に維持することも容易に行うことができ、しかも、それを簡易な構成のものとして提供することにある。
【課題を解決するための手段】
【０００４】
上記課題を解決するため、本発明によれば、縦引きの巻取り式スクリーン装置において用いられ、内部にスクリーンの巻取軸を収容するための巻取りボックスであって、少なくとも上面壁及び背面壁を有するボックス本体と、上記ボックス本体の両側端に取り付けられるエンドプレートと、上記ボックス本体の上面壁前端部において基端をエンドプレートに軸支することにより垂下される開放可能な前面カバーとを備え、上記前面カバーの軸支は、該軸支部分におけるエンドプレートと前面カバーとのいずれか一方に支軸を設けると共に、その他方に、該支軸が遊嵌されて、前面カバーの支持点を上記基端側から該前面カバーの先端側に一定長だけ移動可能にする支持溝を備えることによって行い、上記一対のエンドプレートに、開放した前面カバーを巻取りボックスの内側に上記一定長だけ移動させたときに、該前面カバーにおける上記支軸による支持点から離れた位置に当接して該前面カバーを開放状態に保持する当接部片を設けたことを特徴とする巻取り式スクリーン装置における巻取りボックスが提供される。
【０００５】
本発明に係る巻取りボックスの好ましい実施形態においては、上記前面カバーの軸支を、該前面カバーが軸支される基端側端部から前面カバーに沿って先端側に一定長だけ延びる支持溝を備えると共に、上記一対のエンドプレートにおける上面壁前端部側に、上記支持溝に遊嵌して、前面カバーがその開放時に該支持溝の長手方向に移動するのを許容する支軸を設け、上記一対のエンドプレートにおける支軸よりも背面壁側の部位に上記当接部片を設けたものとして構成される。
【０００６】
本発明に係る巻取りボックスの好ましい実施形態においては、上記前面カバーの先端側に、該前面カバーの閉鎖時にエンドプレートにおける係止受部に係止する係止縁部を設け、上記エンドプレートに、上記前面カバーの係止縁部をエンドプレートの係止受部に係止させて該前面カバーでボックス本体の前面を閉鎖したときに、前面カバーの内面に突設している突条に当接して前面カバーの上動を抑止する受突子を備えているものとして構成される。
この場合には、上記前面カバーの突条により、前面カバーにおける支持溝が先端側に延びる一定長の限度を形成させ、上記一対のエンドプレートの支軸を、開放した前面カバーを巻取りボックスの内側に上記一定長だけ移動させたときに上記突条が当接するストッパとすることができる。
【０００７】
更に、本発明に係る巻取りボックスの他の好ましい実施形態においては、上記ボックス本体と上記前面カバーとを、それぞれ長手方向に断面形状が一定の押出材により形成し、上記エンドプレートが、上記当接部片、上記係止受部及び上記受突子が一体成形された成形材により形成される。
【発明の効果】
【０００８】
以上に詳述した本発明の巻取り式スクリーン装置における巻取りボックスによれば、上記巻取り式スクリーン装置における巻取りボックスの前面カバーを、それが閉状態から手で操作する一時的な開閉だけでなく、メンテナンス等の任意作業の間開放状態に維持することも容易に行うことができ、しかも、それを簡易な構成のものとして提供することができる。
【図面の簡単な説明】
【０００９】
【図１】本発明に係る巻取り式スクリーン装置の巻取りボックスにおける前面カバーが閉状態の縦断面図である。
【図２】同前面カバーが開放状態の縦断面図である。
【図３】上記巻取りボックスにおけるエンドプレートの内側面の正面図である。
【図４】同エンドプレートの平面図である。
【図５】上記巻取りボックスを備えた巻取り式スクリーン装置の要部正面図である。
【発明を実施するための形態】
【００１０】
図１〜図４は、本発明に係る巻取り式スクリーン装置における巻取りボックス１の実施の一例を示し、図５は上記巻取りボックス１を巻取り式スクリーン装置２０に設置した状態を示している。
上記巻取り式スクリーン装置２０における巻取りボックス１は、図５に示すように、該スクリーン装置の上部に設置し、内部にスクリーン２を巻き取るための図示を省略した巻取軸を回転自在に支持して収容するようにしたものである。上記巻取軸に巻き取ったスクリーン２は、巻取りボックス１に設けたチェーン等の操作部材２１の操作により巻き戻し、巻取りが行われ、巻取りボックス１の左右端に対設した一対のガイド枠２２にガイドされて該ガイド枠間に張設され、或いは上記巻取軸に巻き取られるものである。
【００１１】
上記巻取りボックス１自体は、図１及び図２から分かるように、少なくとも上面壁４及び背面壁５を有するボックス本体３と、上記ボックス本体３の両側端に取り付けられるエンドプレート７と、該ボックス本体の上面壁４の前端部における軸支により垂下されて開放可能な前面カバー６とを備えるものである。上記ボックス本体３には、必要に応じて巻取りボックス１の下面をスクリーン２の導出に必要な必要な範囲を残して下面壁を設けることもできる。また、上記前面カバー６は、それが軸支される基端側の端部６ａから前面カバー面に沿って先端６ｂ側に一定長だけ延びる支持溝８を備えたものとしている。該支持溝８は、前面カバー６における上記基端側の端部６ａにおいて裏側に折返した形状として、その折返し部と前面カバーの表面板との間に上記支持溝８を形成したものとし、後述する前面カバー６の内面側の突条９により、前面カバー６における支持溝８が先端６ｂ側に延びる上記一定長の限度を形成させているが、必ずしもこのような構成に限るものではない。
【００１２】
一方、上記一対のエンドプレート７における上面壁４の前端部側には、上記支持溝８に遊嵌する支軸１１を設けている。支持溝８に遊嵌した該支軸１１は、前面カバー６がその開放時に該支持溝８の長手方向に移動するのを許容するものである。該支軸１１としては、図３に示しているように、エンドプレート７に螺挿するネジの先端部を断面円形の軸状に形成したものを用いるのが望ましい。
更に、上記一対のエンドプレート７における支軸１１の設置位置よりも背面壁５側の部位には、開放した前面カバー６を巻取りボックス１の内側に向けて上記一定長だけ移動させたときに、該前面カバー６の外側面に当接して該前面カバーを開放状態に保持する当接部片１２を設けている。なお、上記一対のエンドプレート７の支軸１１は、開放した前面カバー６を巻取りボックス１の内側に上記一定長だけ移動させたときに、上記突条９が当接するストッパとしても作用するものである。
【００１３】
図示の実施例においては、上記前面カバー６の軸支を、該軸支部分におけるエンドプレート７に支軸１１を設けると共に、前面カバー６に支持溝８を設けているが、逆に、前面カバー６に上記支軸１１に対応するものを設け、エンドプレート７に上記支持溝８に対応するものを設けることもできる。この場合には、開放した前面カバー６を巻取りボックス１の内側に前記一定長だけ移動させて、該前面カバー６を開放状態に保持するために、図示の当接部片１２に代えて、上記一対のエンドプレート７に、前面カバー６の支軸による支持点から離れた位置に当接して該前面カバー６を開放状態に保持する当接部片１２を設ける必要があり、この当接部片は、例えば、巻取りボックス１における前面カバー６の内側で、ボックス本体３の上面壁４の前端部から下方に水平配置の前面カバー６を通せる間隙を介在させた部位などに設けられることになる。
【００１４】
上記巻取りボックス１における前面カバー６を閉鎖状態に維持するための手段として、上記前面カバー６の先端６ｂ側には、該前面カバーの閉鎖時に、エンドプレート７から突出させて設けた係止受部１４に係止する係止縁部１５を設けている。また、上記エンドプレート７には、上記前面カバー６の係止縁部１５をエンドプレート７の係止受部１４に係止させて該前面カバー６でボックス本体３の前面開口部を閉鎖したときに、前面カバー６の内面に突設している突条９に当接して前面カバー６の上動を抑止する受突子１７を備えている。この受突子１７は、上記前面カバー６の上動を抑止すると同時に、上記係止縁部１５を係止受部１４に対して上から押し付ける機能を有し、両者の係止を安定化させるものである。
【００１５】
上記ボックス本体３及び上記前面カバー６とは、それぞれ長手方向に断面形状を一定にすることができるものであるため、アルミニウムや合成樹脂の押出材により形成することができ、また、上記エンドプレート７における巻取りボックス１の内面側には、上記当接部片１２、上記係止受部１４及び上記受突子１７のように、前面カバー６に所期の機能を持たせるための付属部品的なものをまとめて設置し、それらをエンドプレート７と一体成形可能にしているので、エンドプレート７を合成樹脂等の成形材とすることにより、巻取りボックス１を簡易に成形することができる。
なお、図中、１８は巻取軸を巻取りボックス１内において支持する支持部材、２３は巻取りボックス１に設けたところの、前記スクリーン２のガイド枠２２との接続用嵌合部を示している。
【００１６】
上記構成を有する巻取りボックス１は、図１の状態から、その前面カバー６の下部を手で前方に引くことにより、該前面カバー６を図２に鎖線で示すような状態に開放することができ、また、その前面カバー６の開放状態で、該前面カバー６を巻取りボックス１の内側に向けて押圧移動させると、一対のエンドプレート７に突設した支軸１１により、それが嵌入している支持溝８の移動がガイドされ、該支軸１１の該前面カバー６の内方の外側面が、当接部片１２の下部に当接して、前面カバー６が開放状態に保持される。
従って、巻取りボックス１内のメンテナンス等の任意作業を、前面カバー６の安定的な開放状態において行うことができ、しかも、そのような構成の巻取りボックス１を簡易な構成のものとして得ることができる。
【符号の説明】
【００１７】
１    巻取りボックス
２    スクリーン
３    ボックス本体
４    上面壁
５    背面壁
６    前面カバー
６ａ  基端側の端部
６ｂ  先端
７    エンドプレート
８    支持溝
９    突条
１１    支軸
１２    当接部片
１４    係止受部
１５    係止縁部
１７    受突子
２０    巻取り式スクリーン装置
【図１】
2015214856.tif 000003
【図２】
2015214856.tif 000004
【図３】
2015214856.tif 000005
【図４】
2015214856.tif 000006
【図５】
2015214856.tif 000007